(57)【要約】【課題】放電試験用負荷を必要としない小型で高効率な蓄電池放電試験システムを提供すること。【解決手段】入力端は蓄電池１の出力端にスイッチ５を介して接続され、出力端は整流器３から負荷４への電力供給ライン７に並列に接続され、スイッチ５が閉じられたときにスイッチ５を介して流れる入力電流である蓄電池１の放電電流があらかじめ定められた一定値となるように制御して電力供給ライン７に電力を出力する放電試験用コンバータ６ａを備えることを特徴とする蓄電池放電試験システムを構成する。【選択図】    図１
2004340664.tif 000002
【特許請求の範囲】
【請求項１】
入力端は蓄電池の出力端にスイッチを介して接続され、出力端は整流器から負荷への電力供給ラインに並列に接続され、該スイッチが閉じられたときに該スイッチを介して流れる入力電流である該蓄電池の放電電流があらかじめ定められた一定値となるように制御しながら該電力供給ラインに電力を出力する放電試験用コンバータを備えることを特徴とする蓄電池放電試験システム。
【発明の詳細な説明】
【０００１】
【発明の属する技術分野】
本発明は、蓄電池放電試験システムに関し、特に、通信用のバックアップシステム等においてニッケル水素電池等の蓄電池の放電試験を行うための蓄電池放電試験システムに関するものである。
【０００２】
【従来の技術】
蓄電池は時間とともに次第に劣化していくが、通信用のバックアップシステムでは蓄電池は常に満充電に近い状態で維持されており、サイクル的な使用の場合と違って使用時に放電容量の低下を認識するのは難しい。したがって、定期的に放電試験を行い、所望の放電容量を満足しているか否かの試験を行っている。また、ニッケル水素電池等は自己放電とそれを補うための補充電といった浅い充放電の繰り返しによりメモリ効果を引き起こすおそれもあるため定期的な放電試験は重要である。
【０００３】
従来の蓄電池放電試験システムを図２に示す。図中、１は蓄電池、２は電圧調整コンバータ、３は整流器、４は負荷、５はスイッチ、６ｂは放電試験用コンバータ、８は放電試験用負荷である。
【０００４】
通常、整流器３は商用電源に接続し、整流器３が商用電源からの電力（交流）を整流して出力する直流電力が負荷４に供給され、蓄電池１からは電力供給されていないが、整流器３からの出力が途絶えたり、その出力電圧が負荷４の許容入力電圧範囲外にまで低下した場合に備えて、その場合に蓄電池１から負荷４に電力供給できるように、蓄電池１の電圧を負荷４の許容入力電圧範囲内に電圧調整する電圧調整コンバータ２が蓄電池１と負荷４との間に設けられている。
【０００５】
蓄電池１の放電試験を行うときには、スイッチ５を投入し、放電試験コンバータ６ｂにより放電試験用負荷８に一定の電流が供給され、たとば０．１ＣＡの放電レートで蓄電池１の定電流放電試験を行うことができる。すなわち、たとえば０．１ＣＡの放電レートに対応する一定放電電流値Ｉ０．１で蓄電池１が放電を続け、蓄電池１の電池電圧が許容される最低電圧値になるまでの時間がｔｄｉｓであったとすると、蓄電池１の放電容量はＩ０．１・ｔｄｉｓ（Ｉ０．１とｔｄｉｓとの積）として求められる。蓄電池１が所望の放電容量を維持しているか否かの判定は、このようにして求められた放電容量に基づいて行われる。
【０００６】
この放電試験を行っているときには、電圧調整コンバータ２の出力電圧は整流器３の出力電圧よりも低く設定されているため、負荷４には整流器３のみから電力が供給される。
【０００７】
万一、放電試験中に整流器３からの出力が途絶えたり、その出力電圧が負荷４の許容入力電圧範囲外にまで低下した場合にはスイッチ５をオフし、蓄電池１から電圧調整コンバータ２を介して負荷に電力供給することができる。
【０００８】
【発明が解決しようとする課題】
しかしながら、従来の蓄電池放電試験システムでは、放電試験用負荷を用いるため装置サイズやコストの増大が問題であった。また、蓄電池に蓄積された電力が放電試験用負荷により無駄に消費されるという問題があった。
【０００９】
本発明は、このような問題を解決するためになされたものであり、本発明の目的は、放電試験用負荷を必要としない小型で高効率な蓄電池放電試験システムを提供することにある。
【００１０】
【課題を解決するための手段】
上記課題を解決するために、本発明においては、請求項１に記載のように、
入力端は蓄電池の出力端にスイッチを介して接続され、出力端は整流器から負荷への電力供給ラインに並列に接続され、該スイッチが閉じられたときに該スイッチを介して流れる入力電流である該蓄電池の放電電流があらかじめ定められた一定値となるように制御しながら該電力供給ラインに電力を出力する放電試験用コンバータを備えることを特徴とする蓄電池放電試験システムを構成する。
【００１１】
【発明の実施の形態】
以下図面を参照して本発明の実施の形態例を詳細に説明する。
【００１２】
図１は、本発明の実施形態例の蓄電池放電試験システムの構成を示すブロック図である。図中、前記従来例と同一箇所には同一の符号を付し、重複説明を省略する。図中、６ａは放電試験用コンバータであり、７は負荷４への電力供給ラインである。
【００１３】
放電試験用コンバータ６ａの入力端は蓄電池１の出力端にスイッチ５を介して接続され、放電試験用コンバータ６ａの出力端は電力供給ライン７に並列に接続されている。
【００１４】
通常、整流器３は商用電源に接続し、整流器３が商用電源からの電力（交流）を整流して出力する直流電力が、電力供給ライン７を通じて、負荷４に供給され、蓄電池１からは電力供給されていないが、整流器３からの出力が途絶えたり、その出力電圧が負荷４の許容入力電圧範囲外にまで低下した場合に備えて、その場合に蓄電池１から負荷４に電力供給できるように、蓄電池１の電圧を負荷４の許容入力電圧範囲内に電圧調整する電圧調整コンバータ２が蓄電池１と負荷４との間に設けられている。
【００１５】
本発明の実施形態例の蓄電池放電試験システムの動作を、図１を参照しながら以下に説明する。
【００１６】
蓄電池１の放電試験を行うときには、スイッチ５を投入する。放電試験用コンバータ６ａは、蓄電池１からの入力電流Ｉが一定値となるように出力を制御しながら、電力供給ライン７を通じて、負荷４へ電力供給する。負荷４には、放電試験用コンバータ６ａからの電力が供給されるとともに、不足分の電力が整流器３から供給される。放電試験用コンバータ６ａから整流器３への電力の逆流を防ぐために、負荷４の消費する電流が最も小さい場合でも整流器３からの供給電流が零にならないように、蓄電池１から放電試験用コンバータ６ａへの入力電流Ｉを設定する必要がある。通常、通信用の負荷は通信量に応じて多少の負荷変動があるものの、通信が全くない場合でも、ある程度の負荷電力を消費するので、上記のように蓄電池１からの入力電流Ｉを設定することは可能である。このような一定放電電流値Ｉで蓄電池１が放電を続け、蓄電池１の電池電圧が許容される最低電圧値になるまでの時間がｔｄｉｓであったとすると、蓄電池１の放電容量はＩ・ｔｄｉｓ（Ｉとｔｄｉｓとの積）として求められる。蓄電池１が所望の放電容量を維持しているか否かの判定は、このようにして求められた放電容量に基づいて行われる。
【００１７】
以上述べたように、本実施の形態例によれば、蓄電池１の定電流放電試験を行いつつ、蓄電池１に蓄積された電力を負荷４に供給することができる。このように、本発明においては、従来技術と異なり、放電試験専用の負荷が不要となり、このような負荷による装置サイズ及びコストの増大や無駄な電力の消費をなくすことができる。
【００１８】
【発明の効果】
本発明の実施により、放電試験用負荷を必要としない小型で高効率な蓄電池放電試験システムを提供することが可能となる。
【図面の簡単な説明】
【図１】本発明の実施形態例の蓄電池放電試験システムの構成を示すブロック図である。
【図２】従来の蓄電池放電試験システムの構成を示すブロック図である。
【符号の説明】
１…蓄電池、２…電圧調整コンバータ、３…整流器、４…負荷、５…スイッチ、６ａ、６ｂ…放電試験用コンバータ、７…電力供給ライン、８…放電試験用負荷。
【図１】
2004340664.tif 000003
【図２】
2004340664.tif 000004